(57)【要約】      （修正有）【課題】片手によりロック状態の解除を容易に行うことができるカバー構造を提供する。【解決手段】本体２と、本体に対して回転可能に設けられたカバー６と、カバーの回転支点の反対側に設けた係合爪１３と、この係合爪に係合する本体に設けたロック爪１１とからなるロック機構とを備え、カバーが本体に対して閉じられるときであって、係合爪とロック爪とが係合してカバーが本体に対してロック状態となる前に、本体に当接する押圧突起２１をカバーに形成する。【選択図】        図１
2004185480.tif 000002
【特許請求の範囲】
【請求項１】
本体と、
該本体に対して回転可能に設けられたカバーと、
前記カバーの回転支点の反対側に設けた係合爪と、該係合爪に係合する前記本体に設けたロック爪とからなるロック機構とを備え、
前記カバーが前記本体に対して閉じられるときであって、前記係合爪と前記ロック爪とが係合して前記カバーが前記本体に対してロック状態となる前に、前記本体に当接する押圧突起を前記カバーに形成したことを特徴とするカバー構造。
【請求項２】
請求項１において、
前記係合爪の係合面およびロック爪の係合面の少なくとも一方の係合面を傾斜面としたことを特徴とするカバー構造。
【請求項３】
請求項１または請求項２において、
前記カバーが、弾性材料により成形されていることを特徴とするカバー構造。
【請求項４】
請求項１、請求項２または請求項３において、
前記ロック爪の当接面および前記係合爪の当接面の少なくとも一方の当接面をテーパ形状としたことを特徴とするカバー構造。
【発明の詳細な説明】
【０００１】
【発明の属する技術分野】
本発明は、情報携帯端末等の電子機器等の本体に設けられたカバーを開閉するためのロック機構を有するカバー構造に関する。
【０００２】
【従来の技術】
従来のカバー構造は、弾性係合片の上部に設けた挿入用の傾斜部によって係合部に挿入して蓋体を閉位置に係合し、蓋体を開放するときはＬ字状のフック部に蓋体に設けた切欠部から離脱用の工具を挿通させて係合部の係合を解除するようにしている（例えば、特許文献１参照。）。
【０００３】
このような従来のカバー構造は、不用意な係合の解除を防止するためのものであるため、上記の弾性係合片の技術を用いた以下に示す容易に係合を解除するためのロック機構が使用されている。
図５は従来例を示す斜視図、図６はその分解状態を示す斜視図、図７は図５のＡ−Ａ断面のロック機構部分を示す拡大断面図であり、従来技術を用いたロック機構を情報携帯端末に適用した例である。
【０００４】
図５、図６において、１は情報携帯端末である。
２は情報携帯端末１の本体であり、樹脂材料等によりケース上部３とケース下部４とに分割されて成形されたケースに、液晶モジュールやこれを透明なシート材で覆った表示部５ａ、テンキーやファンクションキー等により入力等を行うための操作部５ｂが実装される。
【０００５】
６はカバーであり、樹脂材料等により成形され、本体２とカバー６の一方の側に配置されたヒンジ７の両側に設けた回転支点６ａにより回転自在に支持されており、情報携帯端末１の不使用時には図５に示す閉位置に位置して本体２のケース上部３に設けられた表示部５ａや操作部５ｂを保護する。
８はロック体であり、弾性を有する樹脂材料等により成形され、押ボタン９とその両側に伸張する弾性板１０、弾性板１０の略中央に設けたロック爪１１を有している。
【０００６】
１２は嵌合溝であり、ケース下部４のヒンジ７の取付部の反対側に設けられ、弾性板１０の両側の端部を嵌合してロック体８を往復動可能に係止する。
この係止によって、弾性板１０は図７に示す矢印Ｂとは反対方向に常に付勢力を発揮するように構成され、押ボタン９を本体２の外側に突出させる。
図７において、１３は係合爪であり、カバー６のヒンジ７の取付部の反対側で本体２に設けられたロック爪１１に対応する位置に配置されてロック爪１１に係合し、ロック爪１１と係合爪１３とによりロック機構が構成される。
【０００７】
１４ａはケース上部３に設けられたスライド面であり、ロック爪１１を挿入するロック爪挿入穴１５のヒンジ７側に設けられ、ロック体８が往復動する際にロック体８と一体に成形されたガイド部１６ａをガイドする。
１４ｂはケース下部４に設けられたスライド面であり、ヒンジ７の取付部の反対側に配置され、ロック体８が往復動する際にロック体８と一体に成形されたガイド部１６ｂをガイドする。
【０００８】
上記の情報携帯端末１を組立てる場合は、図６においてケース下部４の嵌合溝１２にロック体８と一体に成形された弾性板１０を嵌合してその両側の端部を係止させ、表示部５ａや操作部５ｂを実装してケース上部３のロック爪挿入穴１５にロック爪１１を挿入してケース上部３の外側に突出させて本体２を組立て、この本体２にヒンジ７によってカバー６を開閉可能に取付ける。
【０００９】
そして、カバー６を締めるときは、カバー６の係合爪１３とロック爪１１とを当接させてカバー６を本体２の方向に指や爪により押圧する。
この時、ロック爪１１と係合爪１３の当接部に図７に示す矢印Ｂ方向の分力が発生し、この分力により弾性板１０がその弾性よって撓み、ロック体８のガイド部１６ａ、１６ｂがスライド面１４ａ、１４ｂにそれぞれガイドされて移動する一方、ロック爪１１が係合爪１３に沿って移動し、弾性板１０の弾性により自動的にロック爪１１と係合爪１３とが係合（以下、この状態をロック状態という。）して図５に示す閉位置にカバー６を係止する。
【００１０】
また、カバー６を開けるときは、本体の外側に突出している押ボタン９を図７に示すように指等で矢印Ｂ方向に押圧し、ロック体８のガイド部１６ａ、１６ｂをスライド面１４ａ、１４ｂにそれぞれガイドさせてロック爪１１を移動させ、ロック爪１１と係合爪１３との係合、つまりロック状態を解除する。
この時、押ボタン９を押しながら指等をカバー６の側にずらし、指等でカバー６を持上げて開作動させる。
【００１１】
【特許文献１】
実開昭５９−１５８３７０号公報（第５−６頁、第３図）
【００１２】
【発明が解決しようとする課題】
しかしながら、上述した従来の技術を適用したカバー構造を有する情報携帯端末等においては、押ボタンを押しながらカバーを持上げて開作動させなければならず、指等が本体とカバーとを同時に押してしまうために片手でロック状態を解除することが困難であり、両手での解除、つまり一方の手で本体の押ボタンを押し、他方の手でカバーを開作動させなければならないという問題がある。
【００１３】
本発明は、上記の問題点を解決するためになされたもので、片手によりロック状態の解除を容易に行うことができるカバー構造を提供することを目的とする。
【００１４】
【課題を解決するための手段】
本発明は、上記課題を解決するために、カバー構造が、本体と、該本体に対して回転可能に設けられたカバーと、前記カバーの回転支点の反対側に設けた係合爪と、該係合爪に係合する前記本体に設けたロック爪とからなるロック機構とを備え、前記カバーが前記本体に対して閉じられるときであって、前記係合爪と前記ロック爪とが係合して前記カバーが前記本体に対してロック状態となる前に、前記本体に当接する押圧突起を前記カバーに形成したことを特徴とする。
【００１５】
【発明の実施の形態】
以下に、図面を参照して本発明によるカバー構造の実施の形態について、これを情報携帯端末１に適用した場合を例に説明する。
第１実施の形態例
図１は図５のＡ−Ａ断面に相当する第１実施の形態を示す断面図、図２は図１のＣ部拡大断面図、図３は第１実施の形態のカバー構造の開位置を示す拡大断面図である。
【００１６】
なお、上記従来例と同様の部分は、同一の符号を付してその説明を省略する。図１において、２１は押圧突起であり、カバー６のヒンジ７側で、ヒンジ７のロック機構寄りに設置されており、カバー６と一体に成形される。
押圧突起２１は、図１に示すカバー６の閉位置のときにカバー６とケース上部３のおもて面３ａとの距離よりは僅かに長く形成されており、カバー６の弾性構造の弾性域内の弾性等によって図１に示す矢印Ｄ方向にケース上部３のヒンジ７側の比較的剛性の高い側壁３ｂ付近のおもて面３ａを押圧する。
【００１７】
本実施の形態では、押圧突起２１はロック爪１１等のロック機構の反対側でカバー６の回転支点６ａの近傍に１箇所設けられている。
また、本実施の形態のカバー６は、弾性を有する樹脂材料等の弾性材料により成形されている。
図２、図３において、１１ａはロック爪１１の当接面であり、ロック爪１１の先端部に向かってケース上部３の方向に傾斜するテーパ形状であって、その先端側の稜には稜を凸形状の円弧に成形した円弧面１１ｂが形成されている。
【００１８】
１３ａは係合爪１３の当接面であり、カバー６を閉めるときにロック爪１１の当接面１１ａに当接する。
１１ｃはロック爪１１の係合面であり、１３ｃは係合爪１３の係合面であって、ロック状態のときに互いに係合し、係合部２２を構成する。
１３ｄは係合爪１３の摺接面であり、カバー６の閉作動のときにロック爪１１はこれに摺接する。
【００１９】
そして、係合爪１３の当接面１３ａと摺接面１３ｄの角部の稜には円弧面である円弧面１３ｂが形成される。
上記構成により、カバー６が開いた状態から閉じられる方向に回動した場合、ロック爪１１と係合爪１３とが係合してカバー６が本体２に対してロック状態となる前に押圧突起２１は本体２のケース上部３のおもて面３ａに当接し、更にカバー６が閉じられる方向に回動し、ロック爪１１と係合爪１３とが係合してカバー６が本体２に対してロック状態となると、カバー６は押圧突起２１により変形し、撓みが発生した状態となる。
【００２０】
上記の構成の作用について説明する。
情報携帯端末１を組立てる場合は、上記従来例と同様であるのでその説明を省略する。
カバー６を締めるときは、カバー６の係合爪１３とロック爪１１とを当接させてカバー６を本体２の方向に指等により押圧する。
【００２１】
この時、ロック爪１１と係合爪１３の当接面１１ａ、１３ａに図１に示す矢印Ｂ方向の分力が発生し、この分力により弾性板１０がその弾性よって撓み、ロック体８のガイド部１６ａ、１６ｂがスライド面１４ａ、１４ｂにそれぞれガイドされて移動する一方、ロック爪１１が係合爪１３の当接面１３ａ、円弧面１３ｂ、摺接面１３ｄに沿って移動し、弾性板１０の弾性により自動的にロック爪１１と係合爪１３とが係合してロック状態になり、図１に示す閉位置にカバー６を係止する。
【００２２】
このカバー６の閉作動の途中で、押圧突起２１の先端がケース上部３のおもて面３ａに当接し、更にカバー６をケース上部３の方向に押してロック機構をロック状態にすると、押圧突起２１が本体２のケース上部３のおもて面３ａをカバー６の弾性構造の弾性等によって押圧し、図１に示す矢印Ｄ方向に押圧力を発揮する。そして、このときカバー６には撓みが発生する。
【００２３】
このようにして閉じられたカバー６を開けるときは、本体の外側に突出している押ボタン９を図１に示すように指等で矢印Ｂ方向に押圧し、ロック体８のガイド部１６ａ、１６ｂをスライド面１４ａ、１４ｂにそれぞれガイドさせてロック爪１１を移動させ、ロック爪１１と係合爪１３との係合、つまりロック状態を解除する。
【００２４】
この時、カバー６は変形に対する復元力（反力）によって、回転支点６ａを中心として開く方向に自動的に持上げられ、図３に示すカバー構造の開位置へカバー６を移動させてカバー６と本体２との間に隙間を形成する。
その後、押ボタン９を押していた指等を離して押ボタン９を開放し、自動的にロック状態を解除されてカバー６と本体２との間にできた隙間を利用してカバー６を指等で開作動させる。
【００２５】
この場合に、ロック爪１１と係合爪１３のそれぞれの当接面１１ａ、１３ａは、図２、図３に示すように当接面１１ａがテーパ形状であって円弧面１１ｂが形成され、当接面１３ａには円弧面１３ｂが形成されており、ロック爪１１および係合爪１３の係合面１１ｃ、１３ｃの係合が解除されて押圧突起２１によりカバー６が持上げられ、押ボタン９が開放されて弾性板１０の付勢力によってロック爪１１が矢印Ｂとは反対方向に移動したときに、係合爪１３の円弧面１３ｂとロック爪１１の円弧面１１ｂとが当接し、これに滑らかに接続する当接面１１ａのテーパ形状によってすくい上げられ、ロック爪１１と係合爪１３とが再び係合することを防止する。
【００２６】
以上説明したように、本実施の形態では、カバーを閉めるときにカバーが本体に対してロック状態となる前に、本体に当接する長さを備えた押圧突起を設け、カバーのロック状態が解除されたときに自動的にカバーを持上げるようにしたことによって、カバーと本体の間に隙間ができ、カバーの開作動を片手で容易に行うことができる。
【００２７】
また、カバーを弾性を有する樹脂材料等の弾性材料により成形したことによって、押圧突起による本体の押圧をその弾性域内で行うことができ、カバー構造の長時間の使用による破損等を防止することができる。
更に、ロック爪の当接面をテーパ形状とし、その先端側の稜に円弧面を形成したことによって、押ボタンをおしてカバーのロック状態を解除したときにカバーの係合爪を容易にすくい上げることができ、ロック爪と係合爪の再係合を防止することができる。
【００２８】
なお、本実施の形態においては、押圧突起はロック機構の反対側のヒンジのロック機構寄りに１箇所設けるとして説明したが、押圧突起は１箇所に限る必要はなく、カバーとヒンジの両側の回転支点の近傍やヒンジの全長に渡って複数箇所設けるようにしてもよく、ヒンジの長さと略同等の長さの条状の突起として設けるようにしてもよい。
【００２９】
また、ロック爪の当接面にテーパ形状を形成するとして説明したが、係合爪の当接面にテーパ形状を形成するようにしてもよく、これらを併用するようにしてもよい。
更に、ロック体の弾性板を省略してロック体を矢印Ｂとは反対方向に付勢する圧縮コイルスプリングやトーションスプリング、板バネ等のバネ部材を設けるようにしてもよい。
【００３０】
更に、本実施の形態では、押圧突起はカバーに設けるとして説明したが、本体側に設けてカバーを押圧するようにしてもよい。
第２実施の形態例
図４は図１のＣ部に相当する第２実施の形態を示す拡大断面図である。
なお、上記第１実施の形態例と同様の部分は、同一の符号を付してその説明を省略する。
【００３１】
図４に示す本実施の形態のロック爪１１の係合面１１ｃは、その先端部に向かってカバー６の方向に傾斜する傾斜面として形成され、その先端部の稜に円弧状のフィレットＲ１１ｅが形成されている。
また、係合爪１３の係合面１３ｃは、ロック爪１１の係合面１１ｃの傾斜に沿うように形成された傾斜面であり、その先端部の稜に円弧状のフィレットＲ１３ｅが形成されている。
【００３２】
上記の構成の作用について説明する。
情報携帯端末１を組立てる場合、カバー６を締めるときおよびカバー６を開けるときは、上記第１実施の形態例と同様であるのでその説明を省略する。
カバー６を押ボタン９を押さずに無理に開けようとしたときは、指等で図４に示す矢印Ｅ方向にカバー６を持上げて開作動の操作力を及ぼすと、ロック爪１１と係合爪１３との係合部２２を形成する係合面１１ｃ、１３ｃにその操作力が働き、傾斜面である係合面１１ｃ、１３ｃの傾斜によって係合部２２に図４に示す矢印Ｆ方向（図１の矢印Ｂとは反対方向）の分力が発生する。
【００３３】
この分力の反力がロック爪１１を矢印Ｂ方向に移動させる力となって、弾性板１０が撓み、ガイド部１６ａ、１６ｂがスライド面１４ａ、１４ｂにそれぞれガイドされて移動し、ロック爪１１と係合爪１３の係合面１１ｃ、１３ｃが互いの傾斜面に沿って滑りながら移動してロック状態が解除される。
この時、カバー６は上記第１実施の形態例と同様に変形に対する復元力により自動的に持上げられ、カバー６と本体２との間に隙間を形成する。
【００３４】
その後、カバー６を開けようとした指等によってカバー６を開作動させる。
なお、本実施の形態においては、係合面１１ｃ、１３ｃの両方の面を傾斜面とし、それぞれの先端部の稜にフィレットＲ１１ｅ、１３ｅを形成するとして説明したが、どちらか一方の係合面を傾斜面とし、他方の先端部の稜にフィレットＲを設けるようにしてもよい。
【００３５】
以上説明したように、本実施の形態では、第１実施の形態例の効果に加えて、係合部の係合面を傾斜面で形成するようにしたことによって、押ボタンを押さずカバーを無理に開けようとした場合においても、カバーやロック爪を破損することなくカバーの開作動を容易に行うことができる。
上記各実施の形態例のカバー構造は、大型の電子機器装置や一般事務機器等の小扉や扉に適用すれば、小扉等の開作動を片手で容易に行うことができると共に、無理に小扉等を開作動させようとしたときの小扉等の破損を防止することができる。
【００３６】
【発明の効果】
以上述べたように、本発明は、カバーのヒンジ側にカバーの閉位置において本体を押圧する押圧突起を設け、カバーのロック状態が解除されたときに自動的にカバーを持上げるようにしたことによって、カバーの開作動を片手で容易に行うことができるという効果が得られる。
【図面の簡単な説明】
【図１】図５のＡ−Ａ断面に相当する第１実施の形態を示す断面図
【図２】図１のＣ部拡大断面図
【図３】第１実施の形態のカバー構造の開位置を示す拡大断面図
【図４】図１のＣ部に相当する第２実施の形態を示す拡大断面図
【図５】従来例を示す斜視図
【図６】従来例の分解状態を示す斜視図
【図７】図５のＡ−Ａ断面のロック機構部分を示す拡大断面図
【符号の説明】
１    情報携帯端末
２    本体
３    ケース上部
３ａ  おもて面
３ｂ  側壁
４    ケース下部
５ａ  表示部
５ｂ  操作部
６    カバー
６ａ  回転支点
７    ヒンジ
８    ロック体
９    押ボタン
１０  弾性板
１１  ロック爪
１１ａ、１３ａ  当接面
１１ｂ、１３ｂ  円弧面
１１ｃ、１３ｃ  係合面
１１ｅ、１３ｅ  フィレットＲ
１２  嵌合溝
１３  係合爪
１３ｄ  摺接面
１４ａ、１４ｂ  スライド面
１５  ロック爪挿入穴
１６ａ、１６ｂ  ガイド部
２１  押圧突起
２２  係合部
【図１】
2004185480.tif 000003
【図２】
2004185480.tif 000004
【図３】
2004185480.tif 000005
【図４】
2004185480.tif 000006
【図５】
2004185480.tif 000007
【図６】
2004185480.tif 000008
【図７】
2004185480.tif 000009